(57)【特許請求の範囲】
【請求項１】
組合せケーブルのためのシールモールド分割構造体において、前記構造体が以下の構造、すなわち、
組合せケーブルから分離される第一のケーブルと第二のケーブル、
前記第一のケーブルの端部に設けられるコネクタ、
前記第一のケーブルと前記第二のケーブルの間の分割部を形成し、互いから分離された前記第一のケーブルと前記第二のケーブルを保存する分割モールド部分、
前記コネクタと前記第一のケーブルの間の接続部を形成するコネクタモールド部分、
前記第一のケーブルを保護する保護チューブであって、その両端部が前記分割モールド部分と前記コネクタモールド部分に対して各々固定される保護チューブ、
および前記保護チューブの両端部の内側から各々挿入されかつ前記第一のケーブルの外側を包む絶縁部分であって、それにより前記保護チューブ内への成形材料の流入を防ぐことができる絶縁部分、を備えており、前記コネクタが電子パーキングブレーキ（ＥＰＢ）のコネクタとして使用されることができ、車輪速度センサ（ＷＳＳ）或いはＷＳＳ延長ケーブルコネクタが前記第二のケーブルに接続されており、
前記絶縁部分が、
前記保護チューブの内側内に挿入された挿入部分と前記挿入部分の一方の側の端部での拡張後の前記保護チューブの入口に密に嵌合する拡張部分であって、前記保護部分内への前記成形材料の流れを防ぐことができる拡張部分を備えていることを特徴とする組合せケーブルのためのシールモールド分割構造体。
【請求項２】
前記分割モールド部分が以下の構造、すなわち、
前記組合せコネクタの外表面を包みそれを固定する一体化された部分、
前記一体化された部分に露出された第一のケーブルの側に向かって曲げられることにより形成された第一の分割部分、
前記一体化された部分に露出された前記第二のケーブルの側に向かって真っすぐにすることにより形成された第二の分割部分、
を備えていることを特徴とする請求項１に記載の組合せケーブルのためのシールモールド分割構造体。
【請求項３】
前記絶縁部分上で、縦に切断開口される切断開口部分が形成され、この切断開口部分内に前記第一のケーブルが挿入されることができることを特徴とする請求項１に記載の組合せケーブルのためのシールモールド分割構造体。
【請求項４】
長円形の内表面を有する前記絶縁部分が、二つの巻線部を備えた前記第一のケーブルの外表面を包み、従って成形材料の流入を防ぐことを特徴とする請求項１に記載の組合せケーブルのためのシールモールド分割構造体。
【請求項５】
前記保護チューブの内側内への挿入を容易にするために、前記挿入部分の直径よりも小さい外径を有する狭い部分が、前記挿入部分の端部に形成されていることを特徴とする請求項１に記載の組合せケーブルのためのシールモールド分割構造体。
【請求項６】
コードグロメット部分が、前記分割モールド部分の外表面上に形成されかつ一体化されており、それにより取付けブラケットが取付けられることができことを特徴とする請求項１に記載の組合せケーブルのためのシールモールド分割構造体。
【請求項７】
前記コードグロメット部分が、前記分割モールド部分の一体化された部分上に位置していることを特徴とする請求項６に記載の組合せケーブルのためのシールモールド分割構造体。
【請求項８】
前記コネクタが取付けられている場合に、前記第一のケーブルと設定された角度を形成するために、前記コネクタモールド部分が“¬”の形状をとるように曲がることを特徴とする請求項１に記載の組合せケーブルのためのシールモールド分割構造体。
【請求項９】
組合せケーブルのためのシールモールド分割構造体を製造するための方法において、
前記方法が以下の工程、すなわち、
第一のケーブルと第二のケーブルを露出するために組合せケーブルの被覆部を除去しかつこれらを分離する工程、
分離された第一のケーブルの外表面上に保護チューブを設ける工程、
前記保護チューブの両端で内側から前記第一のケーブルを包み、各々絶縁部分を挿入し据え付ける工程、
前記第一のケーブルの端部にＥＰＢコネクタを設ける工程、
前記第二のケーブルの端部にＷＳＳを設ける工程、
前記第一のケーブルと前記第二のケーブルの間の分割部分と分割モールド部分を形成するための前記保護チューブの一方の端部を包みかつ成形する工程、
および前記コネクタと前記第一のケーブルの間の接続部分と前記分割モールド部分から分離するための前記保護チューブの端部を包みかつ成形し、従ってコネクタモールド部分を形成する工程、
前記コネクタが電子パーキングブレーキ（ＥＰＢ）のコネクタとして使用されることができ、車輪速度センサ（ＷＳＳ）或いはＷＳＳ延長ケーブルコネクタを前記第二のケーブルに接続する工程、
を備えており、
前記絶縁部分が、
前記保護チューブの内側内に挿入された挿入部分と前記挿入部分の一方の側の端部での拡張後の前記保護チューブの入口に密に嵌合する拡張部分であって、前記保護部分内への前記成形材料の流れを防ぐことができる拡張部分を備えていることを特徴とする方法。
【発明の詳細な説明】
【技術分野】
【０００１】
本発明は、組合せケーブルのためのシールモールド分割構造体とこのシールモールド分割構造体を製造するための方法に関し、さらに具体的に言えば、組合せケーブルのためのシールモールド分割構造体とこのシールモールド分割構造体を製造するための方法に関し、ケーブルは各々車輪速度センサに接続されており、電子駐車ブレーキは独立した状態で完全に固定されている。
【背景技術】
【０００２】
一般的に、車両の電子パーキングブレーキ（ＥＰＢ）は、車両が停止された時、ブレーキのために自動的にロックし、加速ペダルが操作開始時に踏まれた場合に、ブレーキを自動的にアンロック（解除）するブレーキ装置である。このブレーキ装置はブレーキ上へ必要性もなくブレーキをかけることができるので、ＥＰＢはより多くの車両において使用されてきた。
【０００３】
モータの駆動により、ＥＰＢはディスクを把持するかあるいは緩め、従ってブレーキをロックするか或いはアンロックする。ＥＰＢケーブルは、コネクタを使用することにより、モータに接続され、電力を供給する。加えて、ＡＢＳが可能にされた後で車輪の回転速度を感知するために、車輪速度センサ（ＷＳＳ）はＥＰＢの周囲に備え付けられている。さらにＷＳＳはケーブルを使って検知信号を送信するか或いは受信する。
【０００４】
しかし、過去には車両内のＥＰＢケーブルとＷＳＳケーブルは別々に備えられておりかつ各々モータとＷＳＳに接続されていた。ケーブルは別々に配置されていたので、ケーブルをはっきりと整理することは難しかった。その結果、車両品質は影響を受けた。
【０００５】
加えて、先に挙げた問題を解決するために、ＥＰＢケーブルとＷＳＳケーブルは互いに結び付けられかつ接続されていた。しかし、ケーブルを分離するためにモータとＷＳＳの間の分割点に関して適切な構造が設けられてこなかった。
【０００６】
従って、前記問題を改善することが必要である。
【０００７】
本発明の背景技術は、韓国で登録された特許文献１に記載されている。
【先行技術文献】
【特許文献】
【０００８】
【特許文献１】韓国特許第１０−０５８９１９５号明細書
【発明の概要】
【発明が解決しようとする課題】
【０００９】
前述の必要性のために、本発明は提案される。本発明の課題は、組合せケーブルのためのシールモールド構造分割体とそれを製造するための方法を提供することであり、複数のケーブルは各々車輪速度センサと電子パーキングブレーキに分離した状態で接続され完全に固定されている。
【課題を解決するための手段】
【００１０】
前述の課題を達成するために、本発明により開示された組合せケーブルのためのシールモールド分割構造体は、以下の構造、すなわち、組合せケーブルから分離される第一のケーブルと第二のケーブル、前記第一のケーブルの端部に設けられるコネクタ、前記第一のケーブルと前記第二のケーブルの間の分割部を成形し、互いから分離された前記第一のケーブルと前記第二のケーブルを保存する分割モールド部分、前記コネクタと前記第一のケーブルの間の接続部を成形するコネクタモールド部分、前記第一のケーブルを保護する保護チューブであって、その両端部が前記分割モールド部分と前記コネクタモールド部分に対して各々固定される保護チューブ、および前記保護チューブの両端部の内側から各々挿入されかつ前記第一のケーブルの外側を包む絶縁部分であって、それにより前記保護チューブ内への成形材料の流入を防ぐことができる絶縁部分、を備えていることを特徴とする。
【００１１】
加えて、本発明は、前記コネクタがＥＰＢのコネクタとして使用されかつＷＳＳ或いはＷＳＳ延長ケーブルコネクタを前記第二のケーブルに接続することを特徴とする。
【００１２】
加えて、本発明は、前記分割モールド部分が以下の構造、すなわち、前記組合せコネクタの外表面を包みそれを固定する一体化された部分、前記一体化された部分に露出された第一のケーブルの側に向かって曲げられることにより形成された第一の分割部分、前記一体化された部分に露出された前記第二のケーブルの側に向かって真っすぐにすることにより形成された第二の分割部分、を備えていることを特徴とする。
【００１３】
加えて、本発明は、前記絶縁部分が、前記保護チューブの内側に挿入される挿入部分、および前記挿入部分の一方の側の端部での拡張後の前記保護チューブの入口にぴったり嵌合する拡張部分であって、前記保護部分内への前記成形コンパウンドの流れを防ぐことができる拡張部分を備えていることを特徴とする。
【００１４】
加えて、本発明は、前記絶縁部分上で、縦に切断開口される切断開口部分が形成され、この切断開口部分内に前記第一のケーブルが挿入されることができることを特徴とする。
【００１５】
加えて、本発明は、前記絶縁部分の内表面が長円形であること、および絶縁部分が巻線部（ｗｉｎｄｉｎｇ  ｄｉｓｐｌａｃｅｍｅｎｔ）を備えた前記第一のケーブルの外表面を包み、従って成形コンパウンドの流入を防ぐことを特徴とする。
【００１６】
加えて、本発明は、前記保護チューブの内側内への挿入を容易にするために、前記挿入部分の直径よりも小さい外径を有する狭い部分が、前記挿入部分の端部に形成されていることを特徴とする。
【００１７】
加えて、本発明は、取付けブラケットを取付けるために、コードグロメット部分が前記分割モールド部分の外表面上に形成されかつ一体化されていることを特徴とする。
【００１８】
加えて、本発明は、前記コードグロメット部分が前記分割モールド部分の一体化された部分上に位置していることを特徴とする。
【００１９】
加えて、本発明は、前記コネクタが取付けられている場合に、前記第一のケーブルと設定された角度を形成するために、前記コネクタモールド部分が“¬”の形状をとるように曲がることを特徴とする。
【００２０】
前記課題を達成するために、本発明により開示された組合せケーブルのためのシールモールド分割構造体を製造するための方法は、以下の工程、すなわち、第一のケーブルと第二のケーブルを露出するために組合せケーブルの被覆部を取り外し、これらを分離する工程、分離された第一のケーブルの外表面上に保護チューブを設ける工程、前記保護チューブの両端で内側から前記第一のケーブルを包み、各々絶縁部分を挿入しかつ据え付ける工程、前記第一のケーブルの端部にＥＰＢコネクタを設ける工程、前記第二のケーブルの端部にＷＳＳを設ける工程、前記第一のケーブルと前記第二のケーブルの間の分割部分と分割モールド部分を形成するための前記保護チューブの一方の端部を包みかつ成形する工程、および前記コネクタと前記第一のケーブルの間の接続部分と前記分割モールド部分から分離するための前記保護チューブの端部を包みかつ成形し、従ってコネクタモールド部分を形成する工程、を備えていることを特徴とする。
【発明の効果】
【００２１】
組合せケーブルのためのシールモールド分割構造体により及び本発明により開示された構造を製造するための方法により、第一のケーブルと第二のケーブルが、各々電子パーキングブレーキに接続されており、車輪速度センサが分離した状態で完全に固定されている。
【００２２】
加えて、本発明により開示されたＥＰＢの第一のケーブルの外表面上に、保護チューブが損傷に対して第一のケーブルを保護するために設けられている。
【００２３】
加えて、本発明において、絶縁部分が保護チューブの両端部の内側から挿入されかつ据え付けられる。従って、保護チューブ内への成形コンパウンドの流れは防ぐことができ、モールドの性能は射出圧を維持することにより改善されることができる。
【００２４】
加えて、本発明において、分割モールド部分が形成されており、この分割モールド部分はＷＳＳの第二のケーブルとＥＰＢの第一のケーブルを同時に包みかつ成形することにより形成され、第一のケーブルと第二のケーブルを分割した安定状態で保つことができる。
【００２５】
加えて、本発明において、コードグロメット部分は、分割モールド部分上に形成されており、従って、組合せケーブルは取付ブラケットを使用して上手い具合に支持されることができる。
【図面の簡単な説明】
【００２６】
【図１】本発明の実施例に記載された組合せケーブルの全体構造の斜視図を示す。
【図２】本発明の実施例に記載された組合せケーブルのシールモールド分割構造体の拡大された斜視図を示す。
【図３】組合せケーブルの被覆部分が本発明の実施例において分離された後、第一のケーブルと第二のケーブルが露出されている状態を示す。
【図４】本発明の実施例において保護チューブが第一のケーブル上に設けられている状態を示す。
【図５】本発明の実施例における、絶縁部分が挿入されかつ各々保護チューブのいずれか一方の端部から配置される状態を示す。
【図６】本発明の実施例における、絶縁部分の拡大された斜視図を示す。
【図７】本発明の実施例において、保護チューブと絶縁部分が第一のケーブル上に設けられている状態の断面図を示す。
【図８】コードグロメット部分が、本発明による組合せケーブルのためのシールモールド分割組立体における分割モールド部分上に形成されている状態を示す。
【図９】本発明の実施例において記載された組合せケーブルのシールモールド分割組立体を製造するための順序のフローチャートを示す。
【発明を実施するための形態】
【００２７】
図を参照することにより、以下に本発明による組合せケーブルのためのシールモールド分割組立体を製造するための方法を詳細に説明する。
【００２８】
説明を平易にかつ明確にするために、図示された構造要素の線の太さ或いは大きさの表示は誇張されている。加えて、以下の説明で使用される言葉は、本発明における機能に従って定義された言葉でありかつ使用者及び操作者の意図或いは常套の習慣と共に変化する。従って、これらの言葉はこの明細書の全体の内容に基づいて定義されるべきである。
【００２９】
図１は本発明の実施例に記載された組合せケーブルの完全構造の斜視図を示す。図２は本発明の実施例に記載された組合せケーブルのシールモールド分割構造体の拡大された斜視図を示す。図３は組合せケーブルの被覆部分が本発明の実施例において分離された後、第一のケーブルと第二のケーブルが露出されている状態を示す。図４は本発明の実施例において保護チューブが第一のケーブル上に設けられている状態を示す。
【００３０】
図５は本発明の実施例における、絶縁部分が挿入されかつ各々保護チューブのいずれか一方の端部から配置される状態を示す。図６は本発明の実施例における、絶縁部分の拡大された斜視図を示す。図７は本発明の実施例において、保護チューブと絶縁部分が第一のケーブル上に設けられている状態の断面図を示す。図８はコードグロメット部分が、本発明による組合せケーブルのためのシールモールド分割組立体における分割モールド部分上に形成されている状態を示す。図９は本発明の実施例において記載された組合せケーブルのシールモールド分割組立体を製造する順序のフローチャートを示す。
【００３１】
図１〜図８に示されたように、本発明の実施例に記載された組合せケーブルのためのシールモールド分割組立体は、第一のケーブル（１０）、第二のケーブル（２０）、コネクタ（３０）、分割モールド部分（４０）、コネクタモールド部分（５０）、保護チューブ（６０）及び絶縁部分（７０）を備えている。
【００３２】
図１及び２に示されたように、第一のケーブル（１０）が組合せケーブル（２）から分離された後、電気パーキングブレーキ（ＥＰＢ）が第一のケーブルの端部に接続される。第一のケーブル（１０）は組合せケーブル（２）の被覆部分（４）を分離することにより外側に露出される。第一のケーブル（１０）は二つの巻線部を備え、これらの巻線部は下の方向に向かって順に構成されることができる。
【００３３】
第二のケーブル（２０）が組合わせケーブル（２）から分離された後、車輪速度センサ（ＷＳＳ）（２２）或いはＷＳＳ延長ケーブルコネクタ（２４）が第二のケーブルの端部に接続される。図３に示されるように、第二のケーブル（２０）は、組合せケーブル（２）の外部被覆部分を除去することにより外側に露出される。さらにこの場合、第二のケーブル（２０）は、外部被覆部分（４）の内部に内部被覆部分（６）を備えていてもよい。従って第二のケーブル（２０）の二つの巻線部は、内部被覆部分（６）が除去されるまで露出されることができない。ＷＳＳ（２２）は第二のケーブル（２０）の二つの巻線部に接続されかつ作動する。加えて、図８に示されるように、ＷＳＳ延長ケーブルコネクタ（２４）はさらに第二のケーブル（２０）の端部に接続されることができる。
【００３４】
コネクタ（３０）は第一のケーブル（１０）の端部に設けられており、それによりＥＰＢは作動することができる。コネクタ（３０）が第一のケーブル（１０）の端部に接続された後、コネクタは以下に説明されるコネクタモールド部分（５０）を使用して固定される。
【００３５】
分割モールド部分（４０）は、第一のケーブル（１０）と第二のケーブル（２０）の間の分割された部分における成形されたモールド構造体でありかつ第一のケーブル（１０）と第二のケーブル（２０）を分割状態に保つ。成形により、分割モールド部分（４０）は、組合せケーブル（２）、直線で分割モールド部分に接続することにより形成された第二のケーブル（２０）、及び曲がって“¬”の形状を成す第一のケーブル（１０）分割部分を完全に固定する。従って、第一のケーブル（１０）と第二のケーブル（２０）は組合せケーブル（２）上で分割されたままである。
【００３６】
分割モールド部分（４０）は以下の構造を備えている：
組合せケーブル（２）の外部被覆部分（４）の外表面を包みかつ固定する一体化された部分（４２）；
一体化された部分（４２）に対して露出された第一のケーブル（１０）の側に向かって曲がっていることにより形成された第一の分割部分（４４）；
一体化された部分（４２）に対して露出された第二のケーブル（２０）の側に向かって真っすぐになっていることにより形成された第二の分割部分（４６）。
この場合、第一の分割部分（４４）の直径は、一方の端部から他方の端部までほとんど同じままである。これにより、第一の分割部分（４４）は保護チューブ（６０）の一方の端部を確実に固定しかつ第一のケーブル（１０）を曲がった状態に保つことが保証される。さらに、第二の分割部分（４６）の直径は、一体化された部分（４２）からその端部まで徐々に小さくなる。第二のケーブル（２０）の直径は、第一のケーブル（１０）を包む保護チューブ（６０）の直径よりも小さい。従って、保護チューブ（６０）を包む第一の分割部分（４４）と同じ直径を維持する必要はない。第二のケーブル（２０）の可撓性を改善するために、その直径はその端部に向かって徐々に小さくなるように作られている。分割モールド部分（４０）は分離された第一のケーブル（１０）と第二のケーブル（２０）および分離されていない組合せケーブルを包み、従って、湿気のようないかなる異物の侵入も防ぐ。
【００３７】
コネクタモールド部分（５０）は、コネクタ（３０）と第一のケーブル（１０）の間の接続部分を成形する構造体である。コネクタモールド部分（５０）は、分割モールド部分（４０）と同時に、或いは分割モールド部分（４０）の前に、或いは分割モールド部分（４０）の後に成形できる。コネクタモールド部分（５０）は、“¬”の形状をとるように曲がっており、従ってコネクタ（３０）がセットされると、第一のケーブル（１０）は予め設定された度数（角度）及び方向に達するように曲げられることができる。コネクタモールド部分（５０）は、おおよそ直角でありかつコネクタ（３０）を固定する。コネクタモールド部分（５０）は、分離された第一のケーブル（１０）とコネクタ（３０）の一部を包み、これにより湿気のような異物の侵入を防ぐことができる。
【００３８】
図４と図６に示されるように、保護チューブ（６０）は第一のケーブル（１０）を保護する構造体であり、その両端部は各々分割モールド部分（４０）とコネクタモールド部分（５０）に固定されている。保護チューブ（６０）は円筒形であり、その外表面と内表面は円形である。保護チューブ（６０）は熱可塑性のポリウレタン（ＴＰＵ）ゴムでできていてもよい。さらに保護チューブ（６０）は他の様々なタイプのゴム又は軟質剛性樹脂の一つでできていてもよい。図４に示されるように、保護チューブ（６０）の内径は、第一のケーブル（１０）の二つの巻線部の縦方向の直径よりも大きい。従って、第一のケーブル（１０）は保護チューブ（６０）の中に簡単に挿入されることができる。さらに、このような構造により、保護チューブ（６０）のための第一のケーブル（１０）の組立性が改善されることができる。分割モールド部分（４０）とコネクタモールド部分（５０）が各々保護チューブ（６０）の両側で成形されると、成形コンパウンドが、保護チューブ（６０）の両側の開放空間を通って保護チューブ（６０）の内側の中に流れこんでもよい。前述の問題を防ぐために、複数の絶縁部分（７０）を配置することが必要であり、これらの絶縁部分は、第一のケーブル（１０）を包みかつ各々保護チューブ（６０）の両側から挿入され、従って成形コンパウンドが保護チューブ（６０）の中へ流れ込むのを防ぐ。
【００３９】
図６と図７に示されるように、絶縁部分（７０）は、各々保護チューブ（６０）の両端の内側から挿入されかつ第一のケーブル（１０）の外側を包む構造体であり、成形コンパウンドが保護チューブ（６０）の中へ流れ込むのを防ぐことができる。絶縁部分（７０）は、保護チューブ（６０）の内表面と第一のケーブル（１０）の外表面の間に形成される開放空間をできる限り遮断する。従って、分割モールド部分（４０）とコネクタモールド部分（５０）が成形されると、供給される成形コンパウンドが保護チューブ（６０）の内側の空間の中に流れ込むことを防ぐことができる。
【００４０】
前記絶縁部分（７０）は、前記保護チューブ（６０）の内側の中に挿入される挿入部分（７２）及び前記挿入部分（７２）が一方の側の端部で膨張した後、前記保護チューブ（６０）の入口に密に嵌合する拡張部分（７４）を備えており、成形コンパウンドが保護チューブ（６０）の中へ流れ込むのを防ぐことができる。前記挿入部分（７２）は、前記保護チューブ（６０）の内径とほぼ同じかあるいは前記保護チューブ（６０）の内径よりも僅かに小さい外径を有しており、前記保護チューブ（６０）に密に嵌合するように挿入される。従って、前記保護チューブ（６０）と第一のケーブル（１０）の外表面の間に空間が維持されている。絶縁部分（７０）は熱可塑性のポリウレタン（ＴＰＵ）ゴムでできていてもよい。もちろん、絶縁部分（７０）は他の様々なタイプのゴムの一つ又は軟質剛性樹脂でできていてもよい。
【００４１】
絶縁部分（７０）に関して、縦方向に開いて切断された切断開口部分（７６）が形成され、この切断開口部分が開いた後、第一のケーブル（１０）がその中に挿入されることができる。切断開口部分（７６）は横方向に一定の距離で間隔を保っているので、保護チューブ（６０）が第一のケーブル（１０）上に配置されると、前記切断開口部分は両側で開放していることができる。もちろん、絶縁部分（７０）は、さらに中央孔を通って第一のケーブル（１０）の外表面に向かって挿入されてもよい。絶縁部分（７０）は、長円形の内表面を有しており、二つの巻線部を備えた第一のケーブル（１０）の外表面を包み、従って成形コンパウンドの流入を防ぐ。すなわち、前記絶縁部分（７０）は、円形の外表面と長円形の内表面を有する。絶縁部分（７０）内での長円形の内表面の構成は、第一のケーブル（１０）の外表面との間隙を最小にするのに使用される。挿入部分（７２）の端部において、挿入部分（７２）よりも小さい外径を有する狭い部分（７８）が形成されていてもよく、これにより保護チューブ（６０）の内表面の中に簡単に挿入することができる。狭い部分（７８）は、そのインターバル設定を超えないで一様に狭くてもよいか或いは傾斜していてもよい。すなわち端部に向かって徐々に狭くなっていてもよい。
【００４２】
図８に示されるように、取付けブラケット（９０）を取付けるために、コードグロメット部分（８０）が形成されておりかつ分割モールド部分（４０）の外表面上で一体化されている。図１に示されるように、コードグロメット部分（８０）は、分割モールド部分（４０）上にかつ組合せケーブル（２）上の他のどの位置にでも配置され、部品の数は増えてもよい。対照的に、図８に示されるように、コードグロメット部分（８０）が分割モールド部分（４０）と一体化されると、部品点数と製造コストは低減されることができる。この場合、コードグロメット部分（８０）が分割モールド部分（４０）の一体化された部分（４２）上に設けられると、取付けブラケット（９０）を取付けることが簡単である。
【００４３】
図９を参照することにより、以下に本発明による組合せケーブルのためのシールモールド分割構造体を製造するための方法の具体的な手順が詳細に記載されている。
【００４４】
最初に、本発明による組合せケーブルのためのシールモールド分割構造体を製造するための方法は、露出しかつ分離する工程（Ｓ１０）、被覆部分を配置する（据付ける）工程（Ｓ２０）、絶縁部分を配置する（据付ける）工程（Ｓ３０）、コネクタを配置する（据付ける）工程（Ｓ４０）、ＷＳＳを配置する（据付ける）工程（Ｓ５０）、分割モールド部分を形成する工程（Ｓ６０）及びコネクタモールド部分を形成する工程（Ｓ７０）を備えている。
【００４５】
露出と分割の工程（Ｓ１０）は、第一のケーブル（１０）と第二のケーブル（２０）の部分的区間を露出および分割するための、組合せケーブル（２）の外部被覆部分を除去する工程である。この場合、内部被覆部分（６）の一部はできるだけ第二のケーブル（２０）上に残る。
【００４６】
被覆部の据付けの工程（２０）は、分離された第一のケーブル（１０）の外表面上での被覆部（６０）の据付けの工程である。保護チューブ（６０）は円筒形であり、その外表面と内表面は円形である。
【００４７】
絶縁部分の据付けの工程（Ｓ３０）は、前記保護チューブ（６０）の両端での内側から前記第一のケーブル（１０）を包み、絶縁部分（７０）を各々挿入しかつ据付ける工程である。絶縁部分（７０）上で、縦に切断開口される切断開口部分（７６）が形成され、絶縁部分が開けられた後、第一のケーブル（１０）が絶縁部分内に挿入されることができる。
【００４８】
コネクタの据付け工程（Ｓ４０）は、第一のケーブル（１０）の端部にＥＰＢコネクタ（３０）を据付ける工程である。
【００４９】
ＷＳＳ据付けの工程（Ｓ５０）は、第二のケーブル（２０）の端部にＷＳＳ（２２）を据付ける工程である。
【００５０】
分割モールド部分を形成する工程（Ｓ６０）は、第一のケーブル（１０）と第二のケーブル（２０）の間の分割部分と分割モールド部分（４０）を形成するための保護チューブ（６０）の一方の端部を包む工程である。分割モールド部分（４０）は、第一のケーブル（１０）と第二のケーブル（２０）の間の分割部分と組合せケーブル（２）の一部を同時に包み、従って湿気のようないずれの異物の侵入をも防ぐ。
【００５１】
コネクタモールド部分を形成する工程（Ｓ７０）は、コネクタ（３０）と第一のケーブル（１０）の間の接続部分と分割モールド部分（５０）を形成するための保護チューブ（６０）の他方の端部の間の接続部分を包む工程である。コネクタモールド部分（５０）は“¬”の形状をとるために曲がる。コネクタモールド部分（５０）は、第一のケーブル（１０）と、コネクタ（３０）の一部を包み、これにより湿気のような異物の侵入を防ぐことができる。
【００５２】
本発明は、特に図示された好ましい実施例に関連して以上のように記載されてきたが、前記実施例が単に典型的であるだけであり、当業者が様々な変形を作りかつそこから同等の置換を作ることができることを理解すべきである。
【００５３】
従って、本発明の技術的保護範囲は以下の請求項により規定されるべきである。
【符号の説明】
【００５４】
２    組合せケーブル
１０  第一のケーブル
２０  第二のケーブル
２２  ＷＳＳ
３０  コネクタ
４０  分割モールド部分
４２  一体化された部分
４４  第一分割部分
４６  第二分割部分
５０  コネクタモールド部分
６０  被覆部分
７０  絶縁部分
７２  切断開口部分
７４  挿入部分
７６  拡張部分
７８  狭い部分
８０  コードグロメット部分
９０  取付けブラケット
Ｓ１０〜Ｓ７０：本発明による製造方法の工程
【図１】
0006608455.tif 000002
【図２】
0006608455.tif 000003
【図３】
0006608455.tif 000004
【図４】
0006608455.tif 000005
【図５】
0006608455.tif 000006
【図６】
0006608455.tif 000007
【図７】
0006608455.tif 000008
【図８】
0006608455.tif 000009
【図９】
0006608455.tif 000010